(57)【要約】【課題】より測定値を読み取りやすい測定表示装置および鉄道用ゲージを提供する。【解決手段】測定手段１２が、傾斜角度を測定するよう構成されている。デジタル表示手段１３が、１桁の数値をデジタル発光表示可能な数値表示部２１と、数値表示部２１の右下に小数点を発光表示可能な小数点表示部２２とを有する発光表示単位を左右に５つ並べて構成されている。デジタル表示手段１３は、測定手段１２で測定された傾斜角度を、発光ダイオードにより５桁でデジタル発光表示するようになっている。測定手段１２で測定された傾斜角度の値が、所定時間、所定の範囲内に保たれたとき、デジタル表示手段１３の右端の発光表示単位の小数点表示部２２ａが点滅するようになっている。【選択図】図１
2013050373.tif 000002
【特許請求の範囲】
【請求項１】
所定の物理量を測定する測定手段と、
１桁の数値をデジタル発光表示可能な数値表示部と前記数値表示部の右下に小数点を発光表示可能な小数点表示部とを有する発光表示単位を左右に複数並べて構成され、前記測定手段で測定された物理量を複数桁でデジタル表示するデジタル表示手段とを有し、
前記測定手段で測定された物理量の値が所定時間、所定の範囲内に保たれたとき、前記デジタル表示手段の右端の発光表示単位の小数点表示部を点滅させることを
特徴とする測定表示装置。
【請求項２】
前記デジタル表示手段は、前記測定手段で測定された物理量を発光ダイオードによりデジタル発光表示する手段から成り、前記右端の発光表示単位の数値表示部ならびに他の前記発光表示単位の数値表示部および小数点表示部は同色で発光するよう構成され、前記右端の発光表示単位の小数点表示部は前記同色と異なる色で発光するよう構成されていることを特徴とする請求項１記載の測定表示装置。
【請求項３】
平行に敷設された２本のレールに架け渡して使用される鉄道用ゲージであって、
各レール間の傾斜角度を測定可能に、請求項１または２記載の測定表示装置が設けられていることを
特徴とする鉄道用ゲージ。
【発明の詳細な説明】
【技術分野】
【０００１】
本発明は、測定表示装置および鉄道用ゲージに関する。
【背景技術】
【０００２】
従来、鉄道用ゲージに装備された角度測定装置などの測定表示装置では、野外などの観測地での測定値の読み取り間違いや読み取り誤差を抑制し、測定作業を容易にするために、測定値をデジタルで表示するものが多く利用されている（例えば、特許文献１または２参照）。
【先行技術文献】
【特許文献】
【０００３】
【特許文献１】特開２００２−３６２３６４号公報
【特許文献２】特開２００５−２９１８０１号公報
【発明の概要】
【発明が解決しようとする課題】
【０００４】
しかしながら、特許文献１および２に記載のような、測定値をデジタル表示する測定表示装置では、測定値がふらついて読み取りにくいことがあるという課題があった。また、測定値がある値で落ち着いたときに、デジタル表示の測定値を点滅させて知らせるものもあるが、点滅する測定値が読み取りにくいという課題があった。
【０００５】
本発明は、このような課題に着目してなされたもので、より測定値を読み取りやすい測定表示装置および鉄道用ゲージを提供することを目的としている。
【課題を解決するための手段】
【０００６】
上記目的を達成するために、本発明に係る測定表示装置は、所定の物理量を測定する測定手段と、１桁の数値をデジタル発光表示可能な数値表示部と前記数値表示部の右下に小数点を発光表示可能な小数点表示部とを有する発光表示単位を左右に複数並べて構成され、前記測定手段で測定された物理量を複数桁でデジタル表示するデジタル表示手段とを有し、前記測定手段で測定された物理量の値が所定時間、所定の範囲内に保たれたとき、前記デジタル表示手段の右端の発光表示単位の小数点表示部を点滅させることを特徴とする。
【０００７】
本発明に係る測定表示装置は、角度や距離、重さなどの所定の物理量を測定するのに使用される。測定中、測定手段で測定された物理量の値が所定時間、所定の範囲内に保たれたとき、デジタル表示手段の右端の発光表示単位の小数点表示部を点滅させるため、測定された物理量が安定したときの値を読み取ることができ、読み取り間違いや読み取り誤差を防ぐことができる。測定された物理量を測定値としてデジタル表示するため、野外等であっても読み取りやすく、測定が容易である。また、測定者による読み取り誤差も発生しない。測定値が点滅しないため、測定値を点滅させるものと比べ、より測定値を読み取りやすく、読み取り間違いを効果的に防止することができる。
【０００８】
本発明に係る測定表示装置は、測定値をデジタル発光表示するため、夜間や暗い場所でも測定値を読み取りやすい。測定値を表示するとき、デジタル表示手段の右端の発光表示単位の小数点表示部は全く使用されない箇所のため、これを利用して測定された物理量の値が安定したことを知らせることができる。表示された測定値のすぐ脇で小数点表示部が点滅するため、測定者が視認しやすく、測定値も読み取りやすい。本発明に係る測定表示装置は、測定された物理量が安定したことを知らせるのに、特別の表示部材を用いる必要がなく、数値表示部と小数点表示部とを有する市販の発光表示単位を左右に複数並べて構成することができるので、製造が容易である。
【０００９】
本発明に係る測定表示装置で、前記デジタル表示手段は、前記測定手段で測定された物理量を発光ダイオードによりデジタル発光表示する手段から成り、前記右端の発光表示単位の数値表示部ならびに他の前記発光表示単位の数値表示部および小数点表示部は同色で発光するよう構成され、前記右端の発光表示単位の小数点表示部は前記同色と異なる色で発光するよう構成されていることが好ましい。この場合、デジタル発光表示のため、例えば液晶表示のものよりも測定値の表示が明るく、読み取りやすい。このため、夜間や暗い場所でも、正確な測定を行うことができる。また、発光ダイオード（ＬＥＤ）を利用しているため、液晶表示のものよりも寒さや暑さ、急激な温度変化に影響されにくく、寒冷地や暑いときでもそのままの状態で容易に測定を行うことができる。また、右端の発光表示単位の小数点表示部が、その発光表示単位の数値表示部ならびに他の発光表示単位の数値表示部および小数点表示部と異なる色で発光、点滅するため、測定された物理量が安定したことを視認しやすい。
【００１０】
本発明に係る鉄道用ゲージは、平行に敷設された２本のレールに架け渡して使用される鉄道用ゲージであって、各レール間の傾斜角度を測定可能に、本発明に係る測定表示装置が設けられていることを特徴とする。
【００１１】
本発明に係る鉄道用ゲージは、本発明に係る測定表示装置を有しているため、各レール間の傾斜角度の測定値を読み取りやすい。本発明に係る鉄道用ゲージは、主に野外で使用されるが、測定値がデジタル表示であるため、読み取りやすく、測定が容易である。また、測定値をデジタル発光表示するため、夜間や暗いトンネル内の作業でも測定値を読み取りやすい。
【発明の効果】
【００１２】
本発明によれば、より測定値を読み取りやすい測定表示装置および鉄道用ゲージを提供することができる。
【図面の簡単な説明】
【００１３】
【図１】本発明の実施の形態の測定表示装置を示す（ａ）平面図、（ｂ）正面図である。
【図２】図１に示す測定表示装置の測定処理手順を示す（ａ）メインルーチン、（ｂ）タイマー処理のフローチャートである。
【発明を実施するための形態】
【００１４】
以下、図面に基づき、本発明の実施の形態について説明する。
図１および図２は、本発明の実施の形態の測定表示装置を示している。
図１に示すように、測定表示装置１０は、ケーシング１１と測定手段１２とデジタル表示手段１３と電源１４と電源スイッチ１５と校正スイッチ１６と制御手段１７とを有している。
【００１５】
ケーシング１１は、アルミ製で、細長い立方体形状を成している。
測定手段１２は、ケーシング１１の内部に収納され、容器内に封入された液体をもとに傾斜角度を測定するよう構成されている。測定手段１２は、ケーシング１１の長さ方向を、傾斜を測定する面の傾斜方向に沿わせ、ケーシング１１の底面１１ａを、傾斜を測定する面に合わせて置くことにより、その面の傾斜角度を測定可能になっている。
【００１６】
デジタル表示手段１３は、ケーシング１１の上面１１ｂに視認可能に設けられ、１桁の数値をデジタル発光表示可能な数値表示部２１と、数値表示部２１の右下に小数点を発光表示可能な小数点表示部２２とを有する発光表示単位を、左右に複数並べて構成されている。発光表示単位は、廉価な小数点付きの７セグメントＬＥＤディスプレイ部品から成ることが好ましいが、小数点付きの１４セグメントＬＥＤディスプレイ部品または小数点付きの１６セグメントＬＥＤディスプレイ部品から成ってもよい。デジタル表示手段１３は、測定手段１２で測定された傾斜角度を、発光ダイオードにより複数桁でデジタル発光表示するようになっている。
【００１７】
電源１４は、リチウム電池から成り、ケーシング１１に内蔵されている。電源１４は、測定手段１２、デジタル表示手段１３の発光ダイオード、および制御手段１７に電気を供給可能に設けられている。
【００１８】
電源スイッチ１５は、ケーシング１１の上面１１ｂに設けられ、電源１４から各手段への電気の供給を、ＯＮ／ＯＦＦするよう構成されている。
校正スイッチ１６は、ケーシング１１の上面１１ｂに設けられ、押されたとき、測定手段１２による測定値を高精度に維持するよう、測定値を校正可能になっている。
【００１９】
制御手段１７は、コンピュータから成り、ケーシング１１の内部に収納されている。制御手段１７は、測定手段１２およびデジタル表示手段１３に接続されている。制御手段１７は、測定手段１２で測定された傾斜角度の値が所定時間、所定の範囲内に保たれたとき、デジタル表示手段１３の右端の発光表示単位の小数点表示部２２ａを点滅させるようになっている。また、そのとき、制御手段１７は、その所定時間内での傾斜角度の最大値と最小値の平均を計算し、その平均値を測定値としてデジタル表示手段１３により表示させるようになっている。
【００２０】
なお、具体的な一例では、デジタル表示手段１３の数値表示部２１は、縦１５ｍｍ、横８ｍｍの大きさで数値を表示可能になっている。また、発光表示単位は５つから成り、デジタル表示手段１３は、測定値を５桁で表示可能になっている。デジタル表示手段１３の発光ダイオードは、−３０℃〜＋６０℃の範囲で、温度の影響をほとんど受けずに稼働可能である。制御手段１７は、測定手段１２で測定された傾斜角度の値が５秒間で０．２度の範囲内に保たれたとき、デジタル表示手段１３の右端の小数点表示部２２ａを点滅させるようになっている。しかしながら、デジタル表示手段１３は、これらの具体的な数値に限定されるものではない。
【００２１】
測定表示装置１０は、傾斜角度を測定するのに使用される。測定表示装置１０は、まず、ケーシング１１の底面１１ａを、傾斜を測定する面に合わせて置く。次に、図２に示すように、電源スイッチ１５で電源１４をＯＮにすると（ステップ３１）、制御手段１７のコンピュータのＣＰＵが初期化され（ステップ３２）、測定手段１２による測定を開始する。測定中、測定手段１２で測定された傾斜角度を、デジタル表示手段１３で測定値として発光表示する（ステップ３３）。測定手段１２で測定された傾斜角度の値が５秒間で０．２度の範囲内に保たれたとき（ステップ３４、３５）、制御手段１７により安定フラグをＯＮにして（ステップ３６）、その５秒間の傾斜角度の最大値と最小値の平均を計算し、その平均値を測定値としてデジタル表示手段１３により表示させる（ステップ３３）。それと同時に、制御手段１７により、デジタル表示手段１３の右端の発光表示単位の小数点表示部２２ａを点滅させて（ステップ３７）、測定値が安定したことを知らせる。
【００２２】
なお、測定手段１２による傾斜角度の測定では、測定の安定化を図るため、２回の移動平均処理をして傾斜角度を演算している（ステップ３８）。また、図２（ｂ）に示すタイマー処理を、図２（ａ）に示すメインルーチンのバックグランドで１ミリ秒毎に動作させ、測定手段１２による測定値を常に表示させるとともに、安定フラグのＯＮとほぼ同時に、デジタル表示手段１３の右端の小数点表示部２２ａを点滅させるようになっている。また、校正スイッチ１６が押されたときには、測定を中断して校正モードに入り（ステップ３９、４０）、そのときの傾斜角度と、逆方向で測定したときの傾斜角度との平均値を補正値として、測定手段１２の校正を行うようになっている。
【００２３】
このように、測定表示装置１０は、測定中、測定手段１２で測定された傾斜角度の値が所定時間、所定の範囲内に保たれたとき、デジタル表示手段１３の右端の発光表示単位の小数点表示部２２ａを点滅させるため、測定された傾斜角度が安定したときの値を読み取ることができ、読み取り間違いや読み取り誤差を防ぐことができる。測定された傾斜角度を測定値としてデジタル表示するため、野外等であっても読み取りやすく、測定が容易である。また、測定者による読み取り誤差も発生しない。測定値が点滅しないため、測定値を点滅させるものと比べ、より測定値を読み取りやすく、読み取り間違いを効果的に防止することができる。測定値をデジタル発光表示するため、夜間や暗い場所でも測定値を読み取りやすい。
【００２４】
測定表示装置１０は、測定値を表示するとき、全く使用されないデジタル表示手段１３の右端の発光表示単位の小数点表示部２２ａを利用して測定値が安定したことを知らせることができる。表示された測定値のすぐ脇で小数点表示部２２ａが点滅するため、測定者が視認しやすく、測定値も読み取りやすい。
【００２５】
測定表示装置１０は、発光ダイオードを利用しているため、例えば液晶表示のものよりも測定値の表示が明るく、読み取りやすい。このため、夜間や暗い場所でも、正確な測定を行うことができる。また、液晶表示のものよりも寒さや暑さ、急激な温度変化に影響されにくく、寒冷地や暑いときでもそのままの状態で容易に測定を行うことができる。
測定表示装置１０は、測定された傾斜角度が安定したことを知らせるのに、特別の表示部材を用いる必要がなく、数値表示部２１と小数点表示部２２とを有する市販の発光表示単位を左右に複数並べて構成することができるので、製造が容易である。
【００２６】
測定表示装置１０は、例えば、平行に敷設された２本のレール間の傾斜角度を測定するために、鉄道用ゲージに取り付けて使用することができる。この場合、各レール間の傾斜角度の測定値を読み取りやすく、容易に測定を行うことができる。鉄道用ゲージは主に野外で使用されるが、測定値がデジタル表示であるため、読み取りやすく、測定が容易である。また、測定値をデジタル発光表示するため、夜間や暗いトンネル内の作業でも測定値を読み取りやすい。なお、測定表示装置１０は、デジタル秤などの表示装置に利用してもよい。
【００２７】
デジタル表示手段１３は、右端の発光表示単位の数値表示部２１ならびに他の発光表示単位の数値表示部２１および小数点表示部２２が同色、例えば赤色で発光するよう構成され、右端の発光表示単位の小数点表示部２２ａがその色と異なる色、例えば緑色で発光するよう構成されていることが好ましい。この場合、右端の発光表示単位の小数点表示部２２ａが、その発光表示単位の数値表示部２１ならびに他の発光表示単位の数値表示部２１および小数点表示部２２と異なる色で発光、点滅するため、測定された傾斜角度が安定したことを視認しやすい。
【符号の説明】
【００２８】
１０  測定表示装置
１１  ケーシング
１２  測定手段
１３  デジタル表示手段
２１  数値表示部
２２  小数点表示部
１４  電源
１５  電源スイッチ
１６  校正スイッチ
１７  制御手段
【図１】
2013050373.tif 000003
【図２】
2013050373.tif 000004